(57)【特許請求の範囲】
【請求項１】
電圧印加により電界を生じる放電電極が配置された回路基板と、
上記回路基板に配置された上記放電電極を覆い、当該電界に風を通過させる開口部が形成され、上記開口部に少なくとも１本の桟が形成された保護カバーと、
上記保護カバーが上記放電電極を覆ったときに形成される、当該保護カバーと上記回路基板との間の流域部に、上記桟が形成された開口部を介して導入される風の流れを整える整流部材とを備え、
上記整流部材は、
上記保護カバーの上記回路基板に対向する面に形成された、上記流域部の送風方向に平行な面を有するリブ状の第２整流板を含み、
上記第２整流板は、
上記保護カバーの上記送風方向上流側の桟形成位置から下流側の桟形成位置まで延設されていることを特徴とするイオン発生装置。
【請求項２】
上記整流部材は、
上記保護カバーの送風方向上流側の上記桟の内側に形成された、上記流域部の送風方向に平行な面を有する板状の第１整流板を含んでいることを特徴とする請求項１に記載のイオン発生装置。
【請求項３】
上記第１整流板は、
上記桟に沿って上記回路基板の放電電極の配置面まで延設されていることを特徴とする請求項２に記載のイオン発生装置。
【請求項４】
上記第１整流板の送風方向の長さは、上記放電電極の電圧印加により生じる電界に影響を与えない長さに設定されていることを特徴とする請求項３に記載のイオン発生装置。
【請求項５】
上記第２整流板のリブの高さは、上記放電電極の電圧印加により生じる電界に影響を与えない高さに設定されていることを特徴とする請求項１〜４の何れか１項に記載のイオン発生装置。
【請求項６】
上記放電電極は、針電極であることを特徴とする請求項１〜５の何れか１項に記載のイオン発生装置。
【請求項７】
請求項１〜６の何れか１項に記載のイオン発生装置を備えたことを特徴とする空気調和機。
【発明の詳細な説明】
【技術分野】
【０００１】
本発明は、放電によりイオンを発生するイオン発生装置、イオン発生装置を備えた空気調和機に関する。
【背景技術】
【０００２】
近年、エアコン等の空気調和機に、放電によりイオンを発生するイオン発生装置を搭載したものが登場している（例えば特許文献１）。通常、イオン発生装置から発生したイオンは、その効能を意図した空間（居室等）で発揮するように送風機からの風を放電によって生じる電界に当てることで、イオンを移動させている。その為、イオン発生装置は空気調和機の送風路内に配置する必要がある。
【０００３】
ところで、イオン発生装置には、電圧が印加される電極に人の手が直接触れないように保護カバーが設けられている。保護カバーは、例えば図２の（ｂ）に示すように、回路基板に設けられたイオン発生素子の放電電極に生じる電界を覆うように当該回路基板の壁面に取り付けられ、内部に電界に当てる風が流れる流域部を形成する。この保護カバーには、電界に当てる風の送風方向上流側と下流側に、細長い桟が縦方向（回路基板の壁面から下向き）に形成され、外部からの風を流域部に導入し、当該流域部から外部に排出できるようになっている。
【先行技術文献】
【特許文献】
【０００４】
【特許文献１】特許第４６０３０８５号公報（２０１０年１０月８日登録）
【発明の概要】
【発明が解決しようとする課題】
【０００５】
しかしながら、従来のイオン発生装置では、送風機からの風が保護カバーの桟を通過する際に乱れ、乱流となる。このため、イオン発生装置の放電によって生じる電界への送風に損失が生じ、保護カバーから外部に排出されるイオンの量が少なくなるという問題が生じる。
【０００６】
しかも、保護カバーと回路基板とで囲まれた流域部に風を通過させる場合、流体の特性上、回路基板の壁面に近いほど風の流れが悪くなり、電界に当たる風の風速に偏りが生じる。特に乱流が生じると電界に当たる風の風速の偏りが顕著になる。この結果、例えば図２の（ｂ）に示すように、電界に当たる風は、風速の遅い回路基板の壁面から遠ざかるほうに偏り、電界全体に当たり難くなるため、保護カバーから外部に排出されるイオンの量が少なくなるという問題が生じる。
【０００７】
本発明は、前記の問題点に鑑みてなされたものであり、その目的は、電界への送風の風速の偏りを少なくして、電界全体に均一に風を当てることで、保護カバーから外部に排出されるイオンの量を増加させることができるイオン発生装置を提供することにある。
【課題を解決するための手段】
【０００８】
上記の課題を解決するために、本発明の一態様に係るイオン発生装置は、電圧印加により電界を生じる放電電極が配置された回路基板と、上記回路基板に配置された上記放電電極を覆い、当該電界に風を通過させる開口部が形成され、上記開口部に少なくとも１本の桟が形成された保護カバーと、を備え、上記保護カバーが上記放電電極を覆ったときに形成される、当該保護カバーと上記回路基板との間の流域部に、上記桟が形成された開口部を介して導入される風の流れを整える整流部材が設けられていることを特徴としている。
【発明の効果】
【０００９】
本発明の一態様によれば、電界への送風の風速の偏りを少なくして、電界全体に均一に風を当てることで、保護カバーから外部に排出されるイオンの量を増加させることができるという効果を奏する。
【図面の簡単な説明】
【００１０】
【図１】本発明の原理を説明するための図である。
【図２】図１の比較例を説明するための図である。
【図３】（ａ）は、本実施形態に係る室内ユニットの正面図、（ｂ）は右側面図である。
【図４】図３に示す室内ユニットの外観斜視図であり、（ａ）は吹出方向を上向きにした状態を示し、（ｂ）は吹出方向を下向きにした状態を示した図である。
【図５】図３の（ａ）のＢＢ線矢視断面図であり、（ａ）は吹出方向を上向きにした状態を示し、（ｂ）は吹出方向を下向きにした状態を示した図である。
【図６】室内ユニットに搭載されたイオン発生装置の外観斜視図である。
【図７】（ａ）はイオン発生装置の上面図、（ｂ）はイオン発生装置の正面図、（ｃ）は（ｂ）のＤＤ線矢視断面図である。
【図８】図６に示すイオン発生装置に備えられた保護カバーを内側から見た外観斜視図である。
【図９】図７の（ａ）のＣＣ線矢視断面図である。
【図１０】本発明の実施形態２に係るイオン発生装置の概略断面図である。
【図１１】本発明の実施形態３に係るイオン発生装置の概略断面図である。
【図１２】本発明の実施形態４に係るイオン発生装置の概略断面図である。
【図１３】本発明の実施形態５に係る保護カバーの要部拡大図である。
【図１４】図１３の保護カバーにおけるＸＸ線矢視断面図の一例を示す図である。
【図１５】図１３の保護カバーにおけるＹＹ線矢視断面図の一例を示す図である。
【発明を実施するための形態】
【００１１】
本発明の実施形態を説明する前に、本発明の原理について説明する。
【００１２】
（発明の原理）
図１の（ａ）〜（ｃ）は、本発明のイオン発生装置におけるイオン放出用の風の流れを模式的に示した図である。
【００１３】
図２の（ａ）は、従来のイオン発生装置を保護カバー側から見た平面図であり、（ｂ）は（ａ）のＡＡ線矢視断面図であり、イオン放出用の風の流れを模式的に示した図である。
【００１４】
上述した〔発明が解決しようとする課題〕の欄において説明した通り、従来のイオン発生装置では、図２の（ｂ）に示すように、電界への送風は、風速の遅い回路基板の壁面から遠ざかるほうに偏る。
【００１５】
これに対して、本発明では、図１の（ａ）〜（ｃ）に示すように、保護カバーに送風の上流側から桟を介して導入される風の流れを整える整流部材（第１整流板、第２整流板）を設けることで、当該保護カバーによって生じる乱流を低減し、電界への送風の風速の偏りを少なくしている。
【００１６】
具体的には、図１の（ａ）に示すように、保護カバーと回路基板とで囲まれた流域部において、当該保護カバーの、送風方向上流側の桟の内側に当該桟を経て導入される風の流れを整える第１整流板（整流部材）を形成する。第１整流板は、板面が送風方向に平行になるように配置され、送風方向の長さが長ければ長いほど整流効果があるが、長ければ電界に接近し影響を与えるため、当該電界に影響を与えない程度の長さにするのが好ましい。また、第１整流版は、回路基板の壁面まで設けられているのが好ましい。これにより、流体の特性により風速が低下する回路基板の壁面近傍の乱流を抑制できるため、風速の低下を抑制できるという効果を奏する。従って、この第１整流板により、送風方向上流側の桟を経た風の乱流を抑制し、電界に当たる風の速度分布を均一にできるという効果を奏する。
【００１７】
また、図１の（ｂ）に示すように、保護カバーと回路基板とで囲まれた流域部において、当該保護カバーの、回路基板の壁面に対向する位置に桟を経て導入される風の流れを整える第２整流板（整流部材）を形成する。第２整流板は、保護カバーの回路基板の壁面に対向する位置に送風方向に沿って送風方向上流側の桟から下流側の桟まで延設されたリブ状の部材である。第２整流板は、高さが高ければ高いほど整流効果があるが、高ければ電界に接近し影響を与えるため、当該電界に影響を与えない程度の高さにするのが好ましい。この第２整流板により、送風方向上流側から下流側まで風の流れを整えることができるという効果を奏する。
【００１８】
さらに、図１の（ｃ）に示すように、図１の（ａ）に示す第１整流板と、図１の（ｂ）に示す第２整流板とを組み合わせてもよい。この場合には、第１整流板の効果と第２整流板の効果との両方の効果を奏することができるため、電界への送風に損失を生じさせず、且つ電界への送風の風速の偏りを少なくして、電界全体に風を当てることで、保護カバーから外部に排出されるイオンの量の低減を抑制できる。
【００１９】
なお、以下の実施形態では、最初に、ベストモードの実施形態１として、図１の（ｃ）に示すように、保護カバーに第１整流板と第２整流板を設けた例について説明し、次に、実施形態１の変形例（第１整流板の他の例）を実施形態２とし、続いて、実施形態３として、図１の（ａ）に示すように、保護カバーに第１整流板のみを設けた例について説明し、さらに、実施形態４として図１の（ｂ）に示すように、保護カバーに第２整流板のみを設けた例について説明する。
【００２０】
〔実施形態１〕
以下、本発明の実施の形態について、詳細に説明すれば以下の通りである。なお、本実施形態では、本発明のイオン発生装置を空気調和機の一種であるエアコンの室内ユニットに搭載した例について説明する。
【００２１】
（エアコンの概要）
図３の（ａ）は、室内ユニットの正面図、（ｂ）は右側面図である。図４は、室内ユニットの外観斜視図であり、（ａ）は吹出方向を上向きにした状態を示し、（ｂ）は吹出方向を下向きにした状態を示した図である。図５は、図３の（ａ）のＢＢ線矢視断面図であり、（ａ）は吹出方向を上向きにした状態を示し、（ｂ）は吹出方向を下向きにした状態を示した図である。
【００２２】
室内ユニットは、図３の（ａ）（ｂ）に示すように、前面から底面にかけて湾曲面とされるキャビネット１を備えている。キャビネット１は、熱交換器３及び室内ファン４を備え、上面に吸込口５が形成され、湾曲面に吹出口６が形成される。さらに、キャビネット１の湾曲面には、吹出口６を開閉するルーバ２が設けられている。ルーバ２は、図４の（ａ）（ｂ）に示すように、上下両開き可能である。ルーバ２が上下両開きする機構については、公知である。なお、例えば特許第４６０３０８５号公報（２０１０年１０月８日登録）に記載の導風パネル２０の機構や補助ルーバ３０を採用することでも実現可能である。
【００２３】
キャビネット１の内部には、図５の（ａ）（ｂ）に示すように、吸込口５から吹出口６に至る空気通路７が形成され、この空気通路７に熱交換器３と室内ファン４とが配設される。さらに、空気通路７には、吹出口６近傍にイオン発生装置１０１が着脱可能に配置されている。ユーザによるイオン発生装置１０１の着脱は、図４の（ｂ）に示すように、ルーバ２が下開きした状態で行う。
【００２４】
イオン発生装置１０１は、空気通路７に配置されているため、当該空気通路７内の送風により発生したイオンを吹出口６から排出するようになっている。
【００２５】
（イオン発生装置の概要）
図６は、イオン発生装置の外観斜視図である。図７の（ａ）は、イオン発生装置の上面図、（ｂ）は、イオン発生装置の正面図、（ｃ）は（ｂ）のＤＤ線矢視断面図である。
【００２６】
イオン発生装置１０１は、回路基板１６が蓋１１と保護カバー１２とで形成された保護ケース内に収納された構造となっている。回路基板１６は、正イオン発生用のイオン発生素子１０ａ、負イオン発生用のイオン発生素子１０ｂ及び図示しないが他に高圧トランス、高電圧回路、電源回路等を有している。なお、上記保護カバー１２は、回路基板１６のイオン発生素子１０ａ、１０ｂの放電電極１３をユーザが直接触れないようにガードするためのカバーである。
【００２７】
イオン発生素子１０ａ、１０ｂそれぞれは、例えばコロナ放電により正イオン及び負イオンを発生させるために、放電電極１３と誘電電極１４を有している。ここで、放電電極１３は、空気の通流方向と略直交する方向に離隔して配置されている。放電電極１３は、針電極である。
【００２８】
イオン発生素子１０ａが有する放電電極１３は、正イオンを発生する正側放電電極であり、イオン発生素子１０ｂが有する放電電極１３は、負イオンを発生する負側放電電極である。
【００２９】
従って、回路基板１６では、高電圧を発生させる昇圧トランスを備えた図示しない高圧発生回路からイオン発生素子１０ａ及びイオン発生素子１０ｂの放電電極１３に高電圧が印加されると、放電電極１３の針先でコロナ放電が発生し、イオンが生成される。生成されたイオンは、これらイオン発生素子１０ａ及びイオン発生素子１０ｂを収容する保護カバー１２の開口部である桟１２ａを通して排出される。
【００３０】
このイオンの発生量を多くするために、上記構成のイオン発生装置１０１では、保護カバー１２が放電電極１３を覆ったときに形成される流域部（保護カバー１２と回路基板１６とで囲まれた領域）に、上記桟１２ａが形成された開口部を介して導入される風の流れを整える整流部材を設けている。本実施形態では、保護カバー１２に、整流部材としての第１整流板１２ｂ、第２整流板１２ｃを形成した例について説明する。なお、整流部材は、保護カバー１２に設けてもよいし、回路基板１６に設けてもよい。
【００３１】
以下に、保護カバー１２の詳細について説明する。
【００３２】
（保護カバーの詳細説明）
図８は、保護カバー１２を内側から見た外観斜視図である。図９は、図７の（ａ）のＣＣ線矢視断面図である。図８，９に記載の矢印は、図示しない送風機によって送風される風の向き（送風方向）を示す。
【００３３】
保護カバー１２には、図８に示すように、風が通り抜けるように複数の桟１２ａが、送風方向の上流側及び下流側の開口部にそれぞれ形成されており、送風方向上流側の桟１２ａに第１整流板（整流部材）１２ｂが形成されると共に、底面に送風方向に沿って第２整流板（整流部材）１２ｃが形成されている。
【００３４】
第１整流板１２ｂは、図９に示すように、保護カバー１２の送風方向上流側の桟１２ａの内側に形成された、上記保護カバー１２と回路基板１６との間に形成される流域部に平行な面を有する板状の部材である。これにより、特に乱流が発生し易い、保護カバー１２の送風方向上流側の桟１２ａの内側に第１整流板１２ｂが形成されていることで、乱流をより効果的に低減することが可能となる。
【００３５】
なお、保護カバー１２は、ユーザが直接放電電極１３に触れるのを防止するために、上述のように放電電極１３を覆うとしているが、厳密には放電電極１３によって生じる電界１５を覆うのが好ましい。この電界１５は、送風による移動対象となるイオンが発生する電界強度を有する領域を示している。従って、以下の説明では、保護カバー１２は、電界１５を覆うものとして説明する。
【００３６】
また、上記第１整流板１２ｂは、上記桟１２ａに沿って上記回路基板１６の放電電極１３の配置面まで延設されている。これにより、流体の特性上、風の流れが悪くなる、回路基板１６の放電電極１３の配置面まで、第１整流板１２ｂが延設されていることで、保護カバー１２で覆われた電界１５に当たる風の風速の偏りをより低減させることができる。これにより、電界１５全体に風が当たるようになり、保護カバー１２から外部に排出されるイオンの量をさらに増加させることができるという効果を奏する。
【００３７】
ところで、放電電極１３の電圧印加による生じる電界１５に対してより均一に風を当てるには、第１整流板１２ｂを電界１５にできるだけ近づくように形成する必要があるが、第１整流板１２ｂが電界１５に近づきすぎると当該電界１５の発生を適切に行うことができない。そこで、上記第１整流板１２ｂの送風方向の長さを、上記放電電極１３の電圧印加により生じる電界１５に影響を与えない長さに設定している。これにより、電界１５に影響を与えず、且つ、電界１５に対してより均一に風を当てることができる。本実施形態では、この効果を奏するための、放電電極１３の先端から第１整流板１２ｂの送風方向端部までの距離を１０ｍｍとなるように、第１整流板１２ｂの送風方向の長さを設定している。但し、この距離は、電界１５の大きさなどに合わせて適宜変更されるものであり、限定されるものではない。
【００３８】
第２整流板１２ｃは、図９に示すように、保護カバー１２の回路基板１６に対向する面に形成された、上記送風方向に平行な面を有するリブ状の部材である。これにより、保護カバー１２に導入される風を、送風方向に平行な面を有するリブ状の第２整流板１２ｃに沿って排出させることができるので、保護カバー１２から排出されるイオンの量を多くすることができる。
【００３９】
また、上記第２整流板１２ｃは、保護カバー１２の送風方向上流側の桟１２ａ形成位置から下流側の桟形１２ａ形成位置まで延設されている。第２整流板１２ｃが、保護カバー１２の送風方向上流側の桟１２ａ形成位置から下流側の桟１２ａ形成位置まで延設されていることで、保護カバー１２で覆われた電界１５に対して風を効率よく導くことができる。このように、保護カバー１２は、第１整流板１２ｂと第２整流板１２ｃが形成されているので、電界１５に対して効率よく風が当たるようになり、保護カバー１２から外部に排出されるイオンの量をさらに増加させることができるという効果を奏する。
【００４０】
ところで、電界に対してより均一に風を当てるには、第２整流板１２ｃのリブの高さを電界１５にできるだけ近づくように形成する必要があるが、第２整流板１２ｃが電界１５に近づきすぎると当該電界１５の発生が適切に行うことができない。そこで、上記第２整流板１２ｃのリブの高さを、上記放電電極１３の電圧印加により生じる電界に影響を与えない高さに設定している。これにより、電界１５に影響を与えず、且つ、電界１５に対してより均一に風を当てることができる。本実施形態では、この効果を奏するための、放電電極１３の先端から第２整流板１２ｃのリブの先端までの距離を１０ｍｍとなるように、第２整流板１２ｃのリブの高さを設定している。但し、この距離は、電界１５の大きさなどに合わせて適宜変更されるものであり、限定されるものではない。
【００４１】
なお、図８では、全ての桟１２ａに第１整流板１２ｂ及び第２整流板１２ｃが形成された例を示しているが、これに限定されるものではなく、必要な箇所のみに形成してもよい。例えば、送風方向の電界に当たる風が通り抜ける桟１２ａに対応する箇所に第１整流板１２ｂ及び第２整流板１２ｃを形成し、電界に当たらない風が通り抜ける桟１２ａに対応する箇所に第１整流板１２ｂ及び第２整流板１２ｃを形成しないようにしてもよい。
【００４２】
（効果）
以上の構成の保護カバー１２を回路基板１６に取り付ければ、当該保護カバー１２の外部から送風された風は、桟１２ａによって乱れることなく、第１整流板１２ｂによって整流される。しかも、第１整流板１２ｂは、保護カバー１２の下面から回路基板１６の壁面まで延設されているので、回路基板１６の壁面付近における風速の偏りを少なくできる。なお、第１整流板１２ｂは、電界１５に影響を与えない範囲の大きさで形成されることが好ましい。さらに、第２整流板１２ｃによって、送風方向上流側から下流側まで風の流れを整えることができるので、電界全体に風を当てることができる。
【００４３】
従って、上記構成の保護カバー１２を用いることにより、当該保護カバー１２から外部に排出されるイオンの量の低減を抑制できるという効果を奏する。これにより、本実施形態に係るイオン発生装置１０１を搭載したエアコンの室内ユニットから排出されるイオン量を増加させることができるという効果を奏する。
【００４４】
〔実施形態２〕
本発明の他の実施形態について、詳細に説明すれば以下の通りである。なお、説明の便宜上、前記実施形態にて説明した部材と同じ機能を有する部材については、同じ符号を付記し、その説明を省略する。
【００４５】
本実施形態に係るイオン発生装置は、前記実施形態１で説明したイオン発生装置とほぼ同じ構成をしている。以下では、本実施形態に係るイオン発生装置と前記実施形態１で説明したイオン発生装置と相違している点について説明する。
【００４６】
（イオン発生装置の概要説明）
図１０は、本実施形態に係るイオン発生装置１０２の概略断面図である。
【００４７】
イオン発生装置１０２は、前記実施形態１の図９に示すイオン発生装置１０１とほぼ同じ構成であり、桟１２ａに形成された第１整流板１２ｂの代わりに第１整流板１２ｄが形成されている点で異なる。
【００４８】
第１整流板１２ｄは、前記第１整流板１２ｂと同様に、上記桟１２ａに沿って上記回路基板１６の放電電極１３の配置面まで延設されている。しかしながら、第１整流板１２ｄの送風方向の長さが、前記第１整流板１２ｂの送風方向の長さよりも短く設定されている。
【００４９】
このように、第１整流板１２ｄの送風方向の長さが、前記第１整流板１２ｂの送風方向の長さよりも短く設定されていることで、第１整流板１２ｂの場合よりも整流効果が少ないものの、電界１５への影響を確実に無くすることができる。
【００５０】
前記実施形態１，２では、保護カバー１２内に第１整流板１２ｂと第２整流板１２ｃの両方を形成した例について説明したが、整流効果が得られ、且つ、従来よりもイオンの発生量を増加させるためには、整流部材として、保護カバー１２に第１整流板１２ｂのみを形成してもよく、保護カバー１２に第２整流板１２ｃのみを形成してもよい。以下の実施形態３では、保護カバー１２に第１整流板１２ｂのみを形成した例、実施形態４では、保護カバー１２に第２整流板１２ｃのみを形成した例について説明する。
【００５１】
〔実施形態３〕
本発明のさらに他の実施形態について、詳細に説明すれば以下の通りである。なお、説明の便宜上、前記実施形態にて説明した部材と同じ機能を有する部材については、同じ符号を付記し、その説明を省略する。
【００５２】
（イオン発生装置の概要説明）
図１１は、本実施形態に係るイオン発生装置１０３の概略断面図である。
【００５３】
イオン発生装置１０３は、前記実施形態１の図９に示すイオン発生装置１０１とほぼ同じ構成であり、第２整流板１２ｃが形成されていない点で異なる。つまり、イオン発生装置１０３では、整流部材として第１整流板１２ｂのみが形成されている。
【００５４】
従って、イオン発生装置１０３によっても、前記実施形態１に係るイオン発生装置１０１と同様に、特に乱流が発生し易い、保護カバー１２の送風方向上流側の桟１２ａの内側に第１整流板１２ｂが形成されていることで、乱流をより効果的に低減することが可能となる。
【００５５】
また、第１整流板１２ｂが、流体の特性上、風の流れが悪くなる、回路基板１６の壁面まで延設されていることで、保護カバー１２で覆われた電界１５に当たる風の風速の偏りをより低減させることができる。これにより、電界１５全体に風が当たるようになり、保護カバー１２から外部に排出されるイオンの量をさらに増加させることができるという効果を奏する。
【００５６】
〔実施形態４〕
本発明のさらに他の実施形態について、詳細に説明すれば以下の通りである。なお、説明の便宜上、前記実施形態にて説明した部材と同じ機能を有する部材については、同じ符号を付記し、その説明を省略する。
【００５７】
（イオン発生装置の概要説明）
図１２は、本実施形態に係るイオン発生装置１０４の概略断面図である。
【００５８】
イオン発生装置１０４は、前記実施形態１の図９に示すイオン発生装置１０１とほぼ同じ構成であり、第１整流板１２ｂが形成されていない点で異なる。つまり、イオン発生装置１０４では、整流部材として第２整流板１２ｃのみが形成されている。
【００５９】
従って、イオン発生装置１０４によっても、前記実施形態１に係るイオン発生装置１０１と同様に、保護カバー１２に導入される風を、送風方向に平行な面を有するリブ状の第２整流板１２ｃに沿って排出させることができるので、保護カバー１２から排出されるイオンの量を多くすることができる。
【００６０】
また、上記第２整流板１２ｃは、保護カバー１２の送風方向上流側の桟１２ａ形成位置から下流側の桟形１２ａ形成位置まで延設されている。これにより、第２整流板１２ｃが、保護カバー１２の送風方向上流側の桟１２ａ形成位置から下流側の桟１２ａ形成位置まで延設されていることで、保護カバー１２で覆われた電界１５に対して風を効率よく導くことができる。これにより、電界１５に対して効率よく風が当たるようになり、保護カバー１２から外部に排出されるイオンの量をさらに増加させることができるという効果を奏する。
【００６１】
前記の各実施形態では、第１整流板１２ｂ及び第２整流板１２ｃの断面形状については特に限定せずに説明したが、以下の実施形態５では、第１整流板１２ｂ及び第２整流板１２ｃの断面形状について説明する。
【００６２】
〔実施形態５〕
本発明のさらに他の実施形態について、詳細に説明すれば以下の通りである。なお、説明の便宜上、前記実施形態にて説明した部材と同じ機能を有する部材については、同じ符号を付記し、その説明を省略する。
【００６３】
（保護カバーの詳細説明）
図１３は、前記実施形態１の図８に示す保護カバー１２の要部を拡大した図である。
【００６４】
図１４は、図１３のＸＸ線矢視断面図であり、第１整流板１２ｂの送風方向の上面から見た断面形状（以下、第１整流板１２ｂの断面形状と称する）を示す図である。
【００６５】
第１整流板１２ｂは、乱流抑制という観点から、送風方向に向かって先細りになる構成が好ましい。従って、第１整流板１２ｂの断面形状は、例えば図１４の（ａ）に示すように、先端までは平行な壁面を有し、先端部が断面略半円形状であってもよく、図１４の（ｂ）に示すように、送風方向の先端部を頂点とする断面三角形状であってもよく、図１４の（ｃ）に示すように、先端までは平行な壁面を有し、先端部が断面三角形状であってもよい。また、図１４の（ａ）〜（ｃ）は、この並びの順で乱流抑制の高いことを示している。
【００６６】
なお、第１整流板１２ｂの断面形状については、図１４の（ａ）〜（ｃ）に示す形状に限定されるものではなく、他の形状であってもよい。
【００６７】
図１５は、図１３のＹＹ線矢視断面図であり、第２整流板１２ｃのリブを送風方向から見た断面形状（以下、第２整流板１２ｃの断面形状と称する）を示す図である。
【００６８】
第２整流板１２ｃは、乱流抑制という観点から、電界１５（図９）の方向に向かって先細りになる構成が好ましい。従って、第２整流板１２ｃの断面形状は、例えば図１５の（ａ）に示すように、先端までは平行な壁面を有し、先端部が断面三角形状であってもよく、図１５の（ｂ）に示すように、送風方向の先端部を頂点とする断面三角形状であってもよく、図１５の（ｃ）に示すように、先端までは平行な壁面を有し、先端部が断面略半円形状であってもよい。また、図１５の（ａ）〜（ｃ）は、この並びの順で乱流抑制の高いことを示している。
【００６９】
なお、第２整流板１２ｃの断面形状については、図１５の（ａ）〜（ｃ）に示す形状に限定されるものではなく、他の形状であってもよい。
【００７０】
〔まとめ〕
本発明の態様１に係るイオン発生装置は、電圧印加により電界を生じる放電電極１３が配置された回路基板１６と、上記回路基板１６に配置された上記放電電極１３の電圧印加により生じる電界１５を少なくとも含む領域を覆い、当該電界１５に風を通過させる開口部が形成され、上記開口部に少なくとも１本の桟１２ａが形成された保護カバー１２と、を備え、上記保護カバー１２が上記放電電極１３を覆ったときに形成される、当該保護カバー１２と上記回路基板１６との間の流域部に、上記桟１２ａが形成された開口部を介して導入される風の流れを整える整流部材（第１整流板１２ｂ、第２整流板１２ｃ）が設けられていることを特徴とする。
【００７１】
上記の構成によれば、保護カバーが上記放電電極を覆ったときに形成される、当該保護カバーと回路基板との間の流域部に、桟が形成された開口部を介して導入される風の流れを整える整流部材が設けられていることで、桟に風が当たることにより生じる乱流の発生を抑制することができる。これにより、流域部内の電界に当たる風の風速に偏りが少なくなり、当該電界全体に風が均一に当たるようになり、保護カバーから外部に排出されるイオンの量を増加させることができるという効果を奏する。
【００７２】
本発明の態様２に係るイオン発生装置は、上記態様１において、上記整流部材は、上記保護カバー１２の送風方向上流側の上記桟１２ａの内側に形成された、上記流域部の送風方向に平行な面を有する板状の第１整流板１２ｂであってもよい。
【００７３】
上記の構成によれば、特に乱流が発生し易い、保護カバーの送風方向上流側の桟の内側に第１整流板が形成されていることで、乱流をより効果的に低減することが可能となる。
【００７４】
本発明の態様３に係るイオン発生装置は、上記態様２において、上記第１整流板１２ｂは、上記桟１２ａに沿って上記回路基板１６の放電電極１３の配置面まで延設されていてもよい。
【００７５】
上記の構成によれば、第１整流板が、流体の特性上、風の流れが悪くなる、回路基板の放電電極の配置面まで延設されていることで、保護カバーで覆われた電界に当たる風の風速の偏りをより低減させることができる。これにより、電界全体に風が当たるようになり、保護カバーから外部に排出されるイオンの量をさらに増加させることができるという効果を奏する。
【００７６】
本発明の態様４に係るイオン発生装置は、上記態様３において、上記第１整流板１２ｂの送風方向の長さは、上記放電電極１３の電圧印加により生じる電界１５に影響を与えない長さに設定されているのが好ましい。
【００７７】
電界に対してより均一に風を当てるには、第１整流板を電界にできるだけ近づくように形成する必要があるが、第１整流板が電界に近づきすぎると当該電界の発生を適切に行うことができない。そこで、上記の構成のように、第１整流板の送風方向の長さを、放電電極の電圧印加により生じる電界に影響を与えない長さに設定することで、電界に影響を与えず、且つ、電界に対してより均一に風を当てることができる。
【００７８】
本発明の態様５に係るイオン発生装置は、上記態様１〜４の何れか１態様において、上記整流部材は、上記保護カバー１２の上記回路基板１６に対向する面に形成された、上記流域部の送風方向に平行な面を有するリブ状の第２整流板１２ｃを含んでいてもよい。
【００７９】
上記構成によれば、保護カバーに導入される風を、送風方向に平行な面を有するリブ状の第２整流板に沿って排出させることができるので、保護カバーから排出されるイオンの量を多くすることができる。
【００８０】
本発明の態様６に係るイオン発生装置は、上記態様５において、上記第２整流板１２ｃは、上記保護カバー１２の上記送風方向上流側の桟１２ａ形成位置から下流側の桟１２ａ形成位置まで延設されているのが好ましい。
【００８１】
上記構成によれば、第２整流板が、保護カバーの送風方向上流側の桟形成位置から下流側の桟形成位置まで延設されていることで、保護カバーで覆われた電界に対して風を効率よく導くことができる。これにより、電界に対して効率よく風が当たるようになり、保護カバーから外部に排出されるイオンの量をさらに増加させることができるという効果を奏する。
【００８２】
本発明の態様７に係るイオン発生装置は、上記態様６において、上記第２整流板１２ｃのリブの高さは、上記放電電極１３の電圧印加により生じる電界１５に影響を与えない高さに設定されていてもよい。
【００８３】
電界に対してより均一に風を当てるには、第２整流板のリブの高さを電界にできるだけ近づくように形成する必要があるが、第２整流板が電界に近づきすぎると当該電界の発生が適切に行うことができない。そこで、上記の構成のように、第２整流板のリブの高さを、放電電極の電圧印加により生じる電界に影響を与えない高さに設定することで、電界に影響を与えず、且つ、電界に対してより均一に風を当てることができる。
【００８４】
本発明の態様８に係るイオン発生装置は、上記態様１〜７の何れか１態様において、上記放電電極１３は、針電極であってもよい。
【００８５】
本発明の態様９に係る空気調和機は、上記態様１〜８の何れか１態様のイオン発生装置を備えたことを特徴としている。
【００８６】
上記構成によれば、空気調和機からのイオンの発生を安定化させることができ、結果として、イオンの発生量を増加させることができる。
【００８７】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００８８】
１  キャビネット
２  ルーバ
３  熱交換器
４  室内ファン
５  吸込口
６  吹出口
７  空気通路
１０ａ  イオン発生素子
１０ｂ  イオン発生素子
１１  蓋
１２  保護カバー
１２ａ  桟
１２ｂ  第１整流板
１２ｃ  第２整流板
１２ｄ  第１整流板
１３  放電電極
１４  誘電電極
１５  電界
１６  回路基板
１０１  イオン発生装置
１０２  イオン発生装置
１０３  イオン発生装置
１０４  イオン発生装置
【図１】
0006735596.tif 000002
【図２】
0006735596.tif 000003
【図３】
0006735596.tif 000004
【図４】
0006735596.tif 000005
【図５】
0006735596.tif 000006
【図６】
0006735596.tif 000007
【図７】
0006735596.tif 000008
【図８】
0006735596.tif 000009
【図９】
0006735596.tif 000010
【図１０】
0006735596.tif 000011
【図１１】
0006735596.tif 000012
【図１２】
0006735596.tif 000013
【図１３】
0006735596.tif 000014
【図１４】
0006735596.tif 000015
【図１５】
0006735596.tif 000016